(57)【要約】  本発明は、疎水性繊維製品基材への印刷に適した油溶性染料と分散染料との混合物を含有する水性インクに関する。【特許請求の範囲】
【請求項１】
水性ビヒクルと、高分子系分散剤によって分散されている水不溶性の着色剤とを含む、繊維製品に印刷するための水性インクジェットインクであって、前記着色剤は、式Ｉの構造を有する１種以上の油溶性染料及び式ＩＩの構造を有する１種以上の油溶性染料：
【化１】
2019508519.tif 000008
（式中、
Ｒ1及びＲ3は、独立に、ＣＮ又は任意選択的に置換されているＣ1〜Ｃ8アルコキシカルボニルであり；
Ｒ2及びＲ4は、独立に、Ｈ又は任意選択的に置換されているＣ1〜Ｃ3アルキルであり；
Ｒ5は、ＣＮ、任意選択的に置換されているＣ1〜Ｃ8アルキルスルホニル、又は任意選択的に置換されているＣ1〜Ｃ8アルコキシカルボニルであり；
Ｒ6は、任意選択的に置換されているＣ1〜Ｃ8アルキル、任意選択的に置換されているＣ1〜Ｃ8アルコキシカルボニル、任意選択的にアリル置換されているＣ3〜Ｃ7シクロアルキル、又は任意選択的に置換されているＣ6〜Ｃ10アリールであり；
Ｒ7は、Ｈであるか、又はＲ6から独立してＲ6の定義を有し；
Ｒ8は、任意選択的に置換されているＣ1〜Ｃ8アルキル、任意選択的に置換されているＣ1〜Ｃ8アルコキシカルボニル、任意選択的にアリル置換されているＣ3〜Ｃ7シクロアルキル、又は任意選択的に置換されているＣ6〜Ｃ10アリールであり；
Ｒ9は、Ｈであるか、又はＲ6から独立してＲ6の定義を有し；
Ｒ10は、Ｈ、Ｃ1〜Ｃ8アルキル、又は任意選択的に置換されているＣ1〜Ｃ8アルキルであり；
Ｒ11は、ＣＮ又はＨであり；
Ｒ12は、Ｈ又はＣ1〜Ｃ8アルキルであり；及び
Ｘ、Ｙ、Ｚは、独立に、Ｈ、ＮＯ2、Ｃｌ、Ｂｒ、Ｆ、Ｃ1〜Ｃ5アルキル、Ｃ1〜Ｃ8アルキルカルボニル、任意選択的に置換されているＣ1〜Ｃ20アルコキシカルボニル、任意選択的に置換されているＣ6〜Ｃ20フェノキシスルホネート、又は任意選択的に置換されているＣ6〜Ｃ20アリールスルホネートである）
を含む、水性インクジェットインク。
【請求項２】
水混和性有機溶剤を更に含む、請求項１に記載のインク。
【請求項３】
前記高分子系分散剤は、アクリルである、請求項２に記載のインク。
【請求項４】
シェーディング成分を更に含む、請求項１に記載のインク。
【請求項５】
前記高分子系分散剤は、アクリルである、請求項４に記載のインク。
【請求項６】
前記高分子系分散剤と異なる高分子系バインダーを更に含む、請求項１に記載のインク。
【請求項７】
前記高分子バインダーは、ポリウレタンである、請求項６に記載のインク。
【請求項８】
前記高分子系バインダーは、アクリルである、請求項６に記載のインク。
【発明の詳細な説明】
【技術分野】
【０００１】
関連出願の相互参照
本出願は、米国特許法第１１９条の下、２０１５年１２月２９日付けで出願された米国仮特許出願第６２／２７２１７６号明細書からの優先権を主張するものであり、この出願の全体が参照により本明細書に組み込まれる。
【０００２】
本開示は、染料系インクジェットインクに関し、より詳しくは、繊維製品への印刷に適した染料系インクジェットインクに関する。
【背景技術】
【０００３】
インクジェット印刷などのデジタル印刷法は、繊維製品の印刷のためにますます重要になってきており、またスクリーン印刷などの従来の印刷法に対する多くの潜在的な利点を有している。デジタル印刷は、スクリーンの作製に関連する製版費用をなくし、コスト効率のよい短時間での製造を潜在的に可能にし得る。インクジェット印刷は、スクリーン印刷工程で実用的に得ることができない無限パターンの繰り返しサイズのような視覚効果を更に可能にする。
【０００４】
デジタル印刷に理想的に適している繊維製品印刷の１つの分野は、短期間の使用が一般的な旗及びのぼりの市場である。しかし、旗及びのぼりの印刷は特有の課題を有する。例えば、インクは片面に印刷されるが、表（印刷）面と等しく裏（非印刷）面で画像が見えるようにインクが生地に浸み込まなくてはならない。更に、インクは、生地を通り抜けなければならない一方、これは、横方向に移動してぼやけ及びにじみを引き起こしてはならない。この一見矛盾する条件の組み合わせは、容易には達成されない。更に、印刷された製品は、典型的に日照領域に展示されることになり、インク中の着色剤は、好ましくは耐光退色性である。
【０００５】
米国特許第５８４７７４０号明細書には、ナイロン布へのインクジェット印刷工程が開示されている。米国特許出願公開第２００５０１９３４９９号明細書には、旗及びのぼりの印刷方法並びにそのための前処理溶液が開示されている。
【０００６】
ポリエステル生地への印刷のためのデジタルインク中の染料としては、典型的には分散染料が使用される。具体的なカラーインデックス（ＣＩ）染料の選択は、インクの製造業者によって様々であるが、一般的にはＣＩ染料の分散染料の分類に限定されている。
【発明の概要】
【発明が解決しようとする課題】
【０００７】
繊維製品への印刷のための幅広い色域及び望ましい耐光性を有するインクジェットインクが必要とされている。本開示は、分散染料に加えて油溶性染料を含有する水性インクを提供することにより、この要求を満たす。
【課題を解決するための手段】
【０００８】
ある実施形態は、水性ビヒクルと、高分子系分散剤によって分散されている水不溶性の着色剤とを含む、繊維製品に印刷するための水性インクジェットインクであって、前記着色剤は、式Ｉの構造を有する１種以上の油溶性染料及び式ＩＩの構造を有する１種以上の油溶性染料：
【０００９】
【化１】
2019508519.tif 000002
（式中、
Ｒ1及びＲ3は、独立に、ＣＮ又は任意選択的に置換されているＣ1〜Ｃ8アルコキシカルボニルであり；
Ｒ2及びＲ4は、独立に、Ｈ又は任意選択的に置換されているＣ1〜Ｃ3アルキルであり；
Ｒ5は、ＣＮ、任意選択的に置換されているＣ1〜Ｃ8アルキルスルホニル、又は任意選択的に置換されているＣ1〜Ｃ8アルコキシカルボニルであり；
Ｒ6は、任意選択的に置換されているＣ1〜Ｃ8アルキル、任意選択的に置換されているＣ1〜Ｃ8アルコキシカルボニル、任意選択的にアリル置換されているＣ3〜Ｃ7シクロアルキル、又は任意選択的に置換されているＣ6〜Ｃ10アリールであり；
Ｒ7は、Ｈであるか、又はＲ6から独立してＲ6の定義を有し；
Ｒ8は、任意選択的に置換されているＣ1〜Ｃ8アルキル、任意選択的に置換されているＣ1〜Ｃ8アルコキシカルボニル、任意選択的にアリル置換されているＣ3〜Ｃ7シクロアルキル、又は任意選択的に置換されているＣ6〜Ｃ10アリールであり；
Ｒ9は、Ｈであるか、又はＲ6から独立してＲ6の定義を有し；
Ｒ10は、Ｈ、Ｃ1〜Ｃ8アルキル、又は任意選択的に置換されているＣ1〜Ｃ8アルキルであり；
Ｒ11は、ＣＮ又はＨであり；
Ｒ12は、Ｈ又はＣ1〜Ｃ8アルキルであり；及び
Ｘ、Ｙ、Ｚは、独立に、Ｈ、ＮＯ2、Ｃｌ、Ｂｒ、Ｆ、Ｃ1〜Ｃ5アルキル、Ｃ1〜Ｃ8アルキルカルボニル、任意選択的に置換されているＣ1〜Ｃ20アルコキシカルボニル、任意選択的に置換されているＣ6〜Ｃ20フェノキシスルホネート、又は任意選択的に置換されているＣ6〜Ｃ20アリールスルホネートである）
を含む、水性インクジェットインクを提供する。
【００１０】
別の実施形態は、インクが水混和性有機溶剤を更に含むことを規定する。
【００１１】
別の実施形態は、高分子系分散剤がアクリルであることを規定する。
【００１２】
別の実施形態は、インクがシェーディング成分を更に含むことを規定する。
【００１３】
別の実施形態は、インクが、前記高分子系分散剤と異なる高分子系バインダーを更に含むことを規定する。
【００１４】
別の実施形態は、高分子系バインダーがポリウレタンであることを規定する。
【００１５】
別の実施形態は、高分子系バインダーがアクリルであることを規定する。
【００１６】
本発明のこれらの及び他の特徴及び利点は、以下の詳細な説明を読むことで当業者により容易に理解されるであろう。分かりやすくするために、別個の実施形態に関連して上述した及び以降に記載の本発明の特定の特徴は、単一の実施形態において組み合わせても提供され得ることが理解されるべきである。逆に、単一の実施形態に関連して、簡潔にするために記載される本発明の様々な特徴は、個別に又は任意の部分的な組み合わせでも提供され得る。更に、文脈上特に明記されない限り、単数形での言及はまた、複数形を含んでもよい（例えば、「１つの（ａ）」及び「１つの（ａｎ）」は、１つ又は１つ以上を指してもよい）。更に、範囲にあると記載された値への言及は、その範囲内のそれぞれ及び全ての値を含む。
【発明を実施するための形態】
【００１７】
特に明記又は定義しない限り、本明細書において使用される全ての技術用語及び科学用語は、本発明が属する技術分野の当業者によって一般に理解されている意味を有する。
【００１８】
特に明記しない限り、全ての百分率、部、比などは重量基準である。
【００１９】
量、濃度、又は他の値若しくはパラメーターが上位の好ましい値及び下位の好ましい値の範囲、好ましい範囲、又はリストとして与えられる場合、これは、範囲が別個に開示されているかどうかにかかわらず、任意の上位範囲限界又は好ましい値と、任意の下位範囲限界又は好ましい値との任意の対から形成される全ての範囲を具体的に開示していると理解されるべきである。数値の範囲が本明細書で列挙される場合、特に明記しない限り、その範囲は、その端点並びにその範囲内の全ての整数及び分数を含むことが意図される。
【００２０】
本明細書において使用される「水性ビヒクル」という用語は、水、又は水と少なくとも１種の水溶性若しくは部分的に水溶性（即ちメチルエチルケトン）の有機溶剤（共溶剤）との混合物を意味する。
【００２１】
本明細書において使用される「ＭＷ」という用語は、重量平均分子量を意味する。
【００２２】
本明細書において使用される「Ｍｎ」という用語は、数平均分子量を意味する。
【００２３】
本明細書において使用される「Ｄ５０」という用語は、粒径の分布の５０パーセンタイル（中央値）の体積粒子径を意味する。
【００２４】
本明細書において使用される「Ｄ９５」という用語は、粒径の分布の９５パーセンタイルの体積粒子径を意味する。
【００２５】
本明細書において使用される「ｃＰ」という用語は、粘度単位であるセンチポアズを意味する。
【００２６】
本明細書において使用される「ｍＮ．ｍ-1」という用語は、表面張力単位である１メートル当たりのミリニュートンを意味する。
【００２７】
本明細書において使用される「ｍＰａ．ｓ」という用語は、粘度単位であるミリパスカル秒を意味する。
【００２８】
本明細書において使用される「置換アルキル」という用語は、エーテル、エステル、アミン、チオエーテル、メルカプタン、ヒドロキシ、ハライド、及び酸基等などの官能基によるアルキル部位上での水素原子の置換を意味する。
【００２９】
本明細書において使用される「置換アリールスルホネート」という用語は、アルキルによる、又はエーテル、エステル、アミン、チオエーテル、メルカプタン、ヒドロキシ、ハライド、及び酸基等などの官能基によるアリールスルホネート部位上での水素原子の置換を意味する。アリールスルホネート部位の別の表現は、Ａｒ−ＳＯ2Ｏ−（ここで、Ａｒはアリール基である）である。
【００３０】
特に明記しない限り、上述の化学物質は、Ａｌｄｒｉｃｈ（Ｍｉｌｗａｕｋｅｅ，ＷＩ）又は他の同様の研究用薬品の供給業者から入手した。
【００３１】
更に、文脈上特に明記されない限り、単数形での言及はまた、複数形を含んでもよい（例えば、「１つの（ａ）」及び「１つの（ａｎ）」は、１つ又は１つ以上を指してもよい）。
【００３２】
着色剤
本発明のインクセットのインクは、具体的な特定の着色剤の存在によって特徴付けられる。着色剤（染料）は、実質的に油溶性染料である。油溶性染料は、典型的には、溶剤系の非水性インク、又は染料をアセトンなどの溶剤中に溶解した後に若しくは分散剤と混合した後に蒸発により溶剤が除去された水性インク中で使用される。溶剤の使用は、安全上の問題及び環境への影響などの複数の観点から望ましくない。本発明者らは、驚くべきことに、特定の油溶性染料を高分子系分散剤によって分散させることができ、これを水性媒体中で使用できることを見出した。本開示では、油溶性染料は、溶剤系の非水性インクの代わりに水溶性インク中で使用される。
【００３３】
具体的な染料は、Ｓｏｃｉｅｔｙ  Ｄｙｅｒｓ  ａｎｄ  Ｃｏｌｏｕｒｉｓｔｓ，Ｂｒａｄｆｏｒｄ，Ｙｏｒｋｓｈｉｒｅ，ＵＫによって制定され、Ｔｈｅ  Ｃｏｌｏｒ  Ｉｎｄｅｘ，Ｔｈｉｒｄ  Ｅｄｉｔｉｏｎ，１９７１で発表された、それらの「Ｃ．Ｉ．」表示が参照される。これらの染料の供給元は、通常、関連する技術分野の当業者に周知である。
【００３４】
本開示の油溶性染料は、式Ｉ及び式ＩＩ：
【００３５】
【化２】
2019508519.tif 000003
（式中、
Ｒ1及びＲ3は、独立に、ＣＮ又は任意選択的に置換されているＣ1〜Ｃ8アルコキシカルボニルであり；
Ｒ2及びＲ4は、独立に、Ｈ又は任意選択的に置換されているＣ1〜Ｃ3アルキルであり；
Ｒ5は、ＣＮ、任意選択的に置換されているＣ1〜Ｃ8アルキルスルホニル、又は任意選択的に置換されているＣ1〜Ｃ8アルコキシカルボニルであり；
Ｒ6は、任意選択的に置換されているＣ1〜Ｃ8アルキル、任意選択的に置換されているＣ1〜Ｃ8アルコキシカルボニル、任意選択的にアリル置換されているＣ3〜Ｃ7シクロアルキル、又は任意選択的に置換されているＣ6〜Ｃ10アリールであり；
Ｒ7は、Ｈであるか、又はＲ6から独立してＲ6の定義を有し；
Ｒ8は、任意選択的に置換されているＣ1〜Ｃ8アルキル、任意選択的に置換されているＣ1〜Ｃ8アルコキシカルボニル、任意選択的にアリル置換されているＣ3〜Ｃ7シクロアルキル、又は任意選択的に置換されているＣ6〜Ｃ10アリールであり；
Ｒ9は、Ｈであるか、又はＲ6から独立してＲ6の定義を有し；
Ｒ10は、Ｈ、Ｃ1〜Ｃ8アルキル、又は任意選択的に置換されているＣ1〜Ｃ8アルキルであり；
Ｒ11は、ＣＮ又はＨであり；
Ｒ12は、Ｈ又はＣ1〜Ｃ8アルキルであり；及び
Ｘ、Ｙ、Ｚは、独立に、Ｈ、ＮＯ2、Ｃｌ、Ｂｒ、Ｆ、Ｃ1〜Ｃ5アルキル、Ｃ1〜Ｃ8アルキルカルボニル、任意選択的に置換されているＣ1〜Ｃ20アルコキシカルボニル、任意選択的に置換されているＣ6〜Ｃ20フェノキシスルホネート、又は任意選択的に置換されているＣ6〜Ｃ20アリールスルホネートである）
の構造を有するものを含む。
【００３６】
式（Ｉ）及び式（ＩＩ）の化合物は、全ての幾何異性体及び立体異性体を含み、また１種以上の立体異性体として存在し得る。立体異性体は、同一の構成であるが、空間におけるそれらの原子配置の点で異なる異性体であり、エナンチオマー、ジアステレオマー、シス−トランス異性体（幾何異性体としても知られる）、及び互変異性体を含む。立体異性の全ての態様の包括的考察については、Ｅｒｎｅｓｔ  Ｌ．Ｅｌｉｅｌ  ａｎｄ  Ｓａｍｕｅｌ  Ｈ．Ｗｉｌｅｎ，Ｓｔｅｒｅｏｃｈｅｍｉｓｔｒｙ  ｏｆ  Ｏｒｇａｎｉｃ  Ｃｏｍｐｏｕｎｄｓ，Ｊｏｈｎ  Ｗｉｌｅｙ＆Ｓｏｎｓ，１９９４を参照されたい。
【００３７】
ビヒクル
ビヒクルは、着色剤の担体である。「水性ビヒクル」は、水、又は水と少なくとも１種の水溶性有機溶剤（共溶剤）との混合物からなるビヒクルを指す。適切な混合物の選択は、望ましい表面張力及び粘度、選択した着色剤、及びインクが上に印刷されることになる基材との適合性などの具体的な用途の要件に依存する。
【００３８】
水溶性有機溶剤の例としては、アルコール、ケトン、ケト−アルコール、エーテル、及びその他（チオジグリコール、スルホラン、２−ピロリジン、１，３−ジメチル−２−イミダゾリジノン、及びカプロラクタム等）；エチレングリコール、ジエチレングリコール、トリエチレングリコール、テトラエチレングリコール、プロピレングリコール、ジプロピレングリコール、トリプロピレングリコール、トリメチレングリコール、ブチレングリコール、及びヘキシレングリコールなどのグリコール；ポリエチレングリコール、ポリプロピレングリコール等などのオキシエチレン又はオキシプロピレンの付加ポリマー；グリセロール及び１，２，６−ヘキサントリオールなどのトリオール；エチレングリコールモノメチルエーテル、エチレングリコールモノエチルエーテル、ジエチレングリコールモノメチル、ジエチレングリコールモノエチルエーテルなどの多価アルコールの低級アルキルエーテル；ジエチレングリコールジメチル若しくはジエチルエーテルなどの多価アルコールの低級ジアルキルエーテルが挙げられる。
【００３９】
水性ビヒクルは、典型的には約３０％〜約９５％の水を含み、残部（即ち約７０％〜約５％）は水溶性溶剤である。
【００４０】
添加剤
他の成分、添加剤を、そのような他の成分が完成品のインクの安定性及び吐出性を妨げない範囲でインクジェットインク中に配合してもよく、これは、通常の実験によって容易に決定することができる。そのような他の成分は、当該技術分野で周知の通常の意味である。
【００４１】
一般的には、表面張力及び濡れ性を調整するために界面活性剤がインクに添加される。適切な界面活性剤としては、エトキシル化アセチレンジオール（例えば、Ａｉｒ  ＰｒｏｄｕｃｔｓのＳｕｒｆｙｎｏｌｓ（登録商標）シリーズ）、エトキシル化一級（例えば、Ｔｏｍａｈ  ＰｒｏｄｕｃｔｓのＴｏｍａｄｏｌ（登録商標）シリーズ）及び二級（例えば、Ｕｎｉｏｎ  ＣａｒｂｉｄｅのＴｅｒｇｉｔｏｌ（登録商標）シリーズ）アルコール、スルホサクシネート（例えば、ＣｙｔｅｃのＡｅｒｏｓｏｌ（登録商標）シリーズ）、オルガノシリコーン（例えば、ＧＥ  ＳｉｌｉｃｏｎｓのＳｉｌｗｅｔ（登録商標）シリーズ）、並びにフルオロ界面活性剤（例えば、ＤｕＰｏｎｔのＺｏｎｙｌ（登録商標）シリーズ）が挙げられる。界面活性剤は、典型的には、インクの総重量基準で約０．０１〜約５％、好ましくは約０．２〜約２％の量で使用される。
【００４２】
耐久性を改善するためにインクにポリマーが添加されてもよい。ポリマーは、ビヒクルに可溶性であっても、分散（例えば、「エマルジョンポリマー」又は「ラテックス」）されていてもよく、またイオン性であっても非イオン性であってもよい。有用な分類のポリマーとしては、アクリル、スチレン−アクリル、及びポリウレタンが挙げられる。
【００４３】
微生物の増殖を阻害するために殺生物剤が使用されてもよい。ｐＨを維持するために緩衝液が使用されてもよい。緩衝液としては、例えば、トリス（ヒドロキシメチル）−アミノメタン（「Ｔｒｉｚｍａ」又は「Ｔｒｉｓ」）が挙げられる。
【００４４】
エチレンジアミン四酢酸（ＥＤＴＡ）、イミノ二酢酸（ＩＤＡ）、エチレンジアミン−ジ（ｏ−ヒドロキシフェニル酢酸）（ＥＤＤＨＡ）、ニトリロトリ酢酸（ＮＴＡ）、ジヒドロキシエチルグリシン（ＤＨＥＧ）、トランス−１，２−シクロヘキサンジアミン四酢酸（ＣｙＤＴＡ）、ジエチレントリアミン−Ｎ，Ｎ，Ｎ’，Ｎ’’，Ｎ’’−五酢酸（ＤＴＰＡ）、及びグリコールエーテルジアミン−Ｎ，Ｎ，Ｎ’，Ｎ’−四酢酸（ＧＥＤＴＡ）、並びにこれらの塩などの封鎖（又はキレート）剤を含むことは、例えば、重金属不純物の有害作用を除去することに有益な場合がある。
【００４５】
成分の割合
上述した成分は、上で概略的に述べたように、また当業者に一般的に認識されるように、望ましいインク特性を得るために様々な割合及び組み合わせで組み合わせてインクを製造することができる。具体的な最終用途向けにインクを最適化するために、幾らかの実験が必要な場合があるものの、そのような最適化は、一般的には当該技術分野の通常の技術の範囲内である。
【００４６】
インク中のビヒクルの量は、典型的には約７０重量％〜約９９．８重量％の範囲であり、より典型的には約８０重量％〜約９９重量％である。着色剤は、通常、最大約１５重量％の量で存在する。旗及びのぼりの用途のために、着色剤は、典型的には約３重量％〜約１２重量％の範囲である。パーセンテージはインクの総重量の重量パーセンテージである。
【００４７】
他の成分（添加剤）は、存在する場合、通常、インクの総重量基準で約１５重量％未満を構成する。界面活性剤は、添加される場合、通常、インクの総重量基準で約０．２重量％〜約３重量％の範囲である。必要に応じてポリマーを添加することもできるが、これは、通常、インクの総重量基準で約１５重量％未満である。
【００４８】
インク特性
液滴の速度、液滴の分離長さ、液滴サイズ、及び流れの安定性は、インクの表面張力及び粘度に大きく影響を受ける。典型的には、インクジェットインクは、２５℃で約２０ダイン／ｃｍ〜約７０ダイン／ｃｍの範囲の表面張力を有する。粘度は、２５℃で３０ｃＰに達する場合もあるが、典型的には若干それよりも小さい。インクは、吐出条件及び印刷ヘッドの設計に合わせた物理的特性を有する。インクは、インクジェット装置内でかなりの程度詰まらないように長期間にわたり優れた貯蔵安定性を有する必要がある。更に、インクは、それが接触するインクジェット印刷装置のパーツを腐食してはならず、またこれは本質的に無臭且つ無毒である必要がある。
【００４９】
基材
本発明のインクは、繊維製品への印刷のために好適であり、特に合成ポリアミド生地、並びに特に旗及びのぼりの材料である印刷基材のために有利である。最も一般的には、合成ポリアミド生地の繊維は、ナイロン−６及び／又はナイロン−６，６繊維である。旗及びのぼりの材料のために、生地は、通常、約７０〜約２００デニールである。そのような材料の市販の例は、印刷用に調製されたＳｏｌａｒＭａｘ（登録商標）１８５ブライトナイロン２００デニール、ＳＧＳ−６６７／５０；及び印刷用に調製されたＳｏｌａｒＭａｘ（登録商標）１８５ブライトＨＴナイロン７０デニール、ＳＧＳ−７７３／７６であり、共にＧｌｅｎ  Ｒａｖｅｎ  Ｍｉｌｌｓ（Ｇｌｅｎ  Ｒａｖｅｎ，Ｎｏｒｔｈ  Ｃａｒｏｌｉｎａ）から市販されている。ＳｏｌａｒＭａｘ（登録商標）は、Ｉｎｖｉｓｔａの商標である。
【００５０】
好適な印刷基材としては紙も挙げられる。典型的には、画像が紙に印刷された後、印刷された画像が熱又は他の手段によって繊維製品に転写される。
【００５１】
生地は、一般的には印刷前に前処理される。生地に対する前処理の実施は、任意の従来の方法であってもよく、そのような方法は当該技術分野で広く周知である。１つの例は、パディングと呼ばれる実施方法である。パディングでは、生地を前処理溶液に浸漬した後、飽和した生地を、過剰の溶液を絞るニップローラに通す。生地中に保持される溶液の量は、ローラーにかけられるニップ圧によって制御することができる。他の前処理技術としては、生地の表面への又は表面及び裏面への噴霧により溶液が塗布される噴霧塗布が挙げられる。前処理溶液の含浸量は、生地１００グラム当たり好ましくは約２０及び約１００グラムの溶液、より好ましくは約２５〜約７５グラムの溶液である。
【００５２】
前処理の実施後、生地は、任意の従来の方法で乾燥される。最終的な含水率は、（およそ）周囲温度での前処理された生地の平衡湿度に等しく、周囲の空気の相対湿度に応じて若干変動し得る。
【００５３】
乾燥後に生地中に残存する樹脂は、印刷時のインクジェットインクのための吸着層を与える。塗布されたインクを吸着するために十分な樹脂が存在しなければならないことが理解されるであろう。他方で、樹脂が多く存在しすぎると適切な浸透を妨げる場合がある。慣行的な最適化により、所定のプリンター及びインクセットのための適切なコーティングレベルが明らかになるであろう。
【００５４】
他の適切な前処理としては、米国特許第６６５６２２８号明細書及び米国特許出願公開第２００２００８１４２１号明細書に開示されているものが挙げられ、これらの開示は、あらゆる目的のために、完全に記載されているかのように参照により本明細書に組み込まれる。
【００５５】
印刷方法
印刷は、生地の取り扱い及び印刷に対応している任意のインクジェットプリンターにより行うことができる。市販のプリンターとしては、例えばＤｕｐｏｎｔ（商標）Ａｒｔｉｓｔｒｉ（商標）３２１０及び２０２０プリンター、並びにＭｉｍａｋｉ  ＴＸシリーズのプリンターが挙げられる。
【００５６】
生地上にのせられるインクの量は、プリンターの型、所定のプリンター内の印刷モード（解像度）、及び所定の色を得るために必要なパーセントカバレッジにより様々な場合がある。全てのこれらの検討事項の複合的な影響が、各色についての生地の単位面積当たりのインクのグラムである。ある実施形態では、インクカバレッジは、好ましくは生地の１平方メートル当たり約５〜約１７グラムのインクである。望ましい色を達成するのに必要なインク密度と、前処理でコーティングされた樹脂の吸着能力との間にバランスが存在する。
【００５７】
印刷された生地は、典型的には繊維製品分野で周知の手順に従って後処理される。好ましい後処理は、印刷されたインクを固定するために蒸気処理を用いて印刷された生地を加熱し、蒸気処理した生地を洗浄することである。
【実施例】
【００５８】
下の表１に列挙されている着色剤及び添加量で６種のインクを調製した。インクを調製し、Ｓｅｉｋｏプリントリグを使用して吐出させた。４００Ｆ（２０４℃）において２分間熱風で融着された２５０デニールのポリエステル織物生地上に様々な色のくさび形を印刷した。ＤＲ  １７７はＤｉｒｅｃｔ  Ｒｅｄ  １７７を表し、Ｒ１はＳｏｌｖｅｎｔ  Ｒｅｄ  １９５を表し、Ｙ１はＤｉｒｅｃｔ  Ｙｅｌｌｏｗ  １１４を表す。
【００５９】
【表１】
2019508519.tif 000004
【００６０】
上のインクの色域の特性を測定し、下の表２に示した。データは、２°の観察者でのＤ６５光源を使用して測定した。
【００６１】
【表２】
2019508519.tif 000005
【００６２】
【表３】
2019508519.tif 000006
【００６３】
【表４】
2019508519.tif 000007
【国際調査報告】
2019508519.tif 000009
2019508519.tif 000010